(57)【要約】      （修正有）【課題】圧縮空気による後方推進力を得て右折や左折の出来る、バランスのよい安全な２連ブロア噴射移動装置を提供する。また、装着者の長い髪やマフラーが絡まる虞の無い安全な２連ブロア噴射移動装置を提供する。【解決手段】２連噴射ブロア１の１方が、手ふさぎ開閉右噴射口を有する右噴射パイプ２を介して後方噴射具４の右側の右噴射部４１に連結され、２連噴射ブロア１の他方が、手ふさぎ開閉左噴射口３０を有する左噴射パイプ３を介して後方噴射具４の左側の左噴射部４２に連結されてなる。【選択図】図１
2012140102.tif 000002
【特許請求の範囲】
【請求項１】
２連噴射ブロア１が開閉右噴射口２０を有する右噴射パイプ２と開閉左噴射口３０を有する左噴射パイプ３とを介して後方噴射具４の右噴射部４１と左噴射部４２にそれぞれ連結されたことを特徴とする２連ブロア噴射移動装置
【請求項２】
２連噴射ブロア１の１方が手ふさぎ開閉右噴射口２０を有する右噴射パイプ２を介して後方噴射具４の右側の右噴射部４１に連結され、２連噴射ブロア１の他方が手ふさぎ開閉左噴射口３０を有する左噴射パイプ３を介して後方噴射具４の左側の左噴射部４２に連結されたことを特徴とする２連ブロア噴射移動装置
【請求項３】
上記２連噴射ブロア１が胸側腹側に上下配設され、一方が右噴射部４１にパイプ連結され、他方が左噴射部４２にパイプ連結されていることを特徴とする請求項１に記載の２連ブロア噴射移動装置
【請求項４】
上記２連噴射ブロア１が右胸側左胸側に左右対称に配設され、一方が右噴射部４１にパイプ連結され、他方が左噴射部４２にパイプ連結されていることを特徴とする請求項１に記載の２連ブロア噴射移動装置
【請求項５】
上記２連噴射ブロア１が前後２段に胸側配設され、一方が右噴射部４１にパイプ連結され、他方が左噴射部４２にパイプ連結されていることを特徴とする請求項１に記載の２連ブロア噴射移動装置
【請求項６】
上記２連噴射ブロア１が抱き側と背負い側に配設され、一方が右噴射部４１にパイプ連結され、他方が左噴射部４２にパイプ連結されていることを特徴とする請求項１に記載の２連ブロア噴射移動装置
【請求項７】
前記開閉右噴射口２０と開閉左噴射口３０が前孔３２と仕切り３３と後孔３４とふさぎリング３５とから成る手動スライド開閉弁構造となされたことを特徴とする請求項１に記載の２連ブロア噴射移動装置
【請求項８】
前記開閉右噴射口２０と開閉左噴射口３０がグリップ３１と遠隔操作棒３６と三角スライダー３７とからなる手動スライド開閉弁構造となされたことを特徴とする請求項１に記載の２連ブロア噴射移動装置
【請求項９】
前記２連噴射ブロア１が肩掛けダイレクトブロアで左右対称に配設され、一方が開閉右噴射口２０を有する連結パイプ２を介して右噴射部４１に連結され、他方が開閉左噴射口３０を有する連結パイプ３を介して左噴射部４２に連結されてなる請求項１に記載の２連ブロア噴射移動装置
【発明の詳細な説明】
【技術分野】
【０００１】
この発明は身体に装着してローラースケートやスキーなどを履いで移動する２連ブロア噴射移動装置に関している。
【背景技術】
【０００２】
従来の身体装着パワー噴射移動具が存在した。
【先行技術文献】
【特許文献】
【０００３】
【特許文献１】特願２０１０−０９７７３１号
【特許文献２】特願２０１０−２４５９７１号
【発明の概要】
【発明が解決しようとする課題】
【０００４】
従来の身体装着パワー噴射移動具（例えば特願２０１０−０９７７３１号）は曲がりたい時や停まりたい時に、足操作だけでは、正確に操作ができにくいという問題点があった。
【課題を解決するための手段】
【０００５】
発明者は最初、パラグライダー用のエンジンユニットを身体に背負って装着し、ローラースケートを履いて走ってみた。低速直進時は問題ないが、緊急停止しづらく、曲がりにくく、制御困難で、転倒するなど危険に陥る傾向があった。またプロペラとエンジンのジャイロ効果が生じて走行に不具合をおこし、うまく曲がったり旋回したりできないという問題点もあった。
【０００６】
発明者は市販のパラグライダー用エンジンユニットをあきらめ、代わりに２個のエンジンブロアを使って、加速したり、曲がったり、急速減速したり、安全に走れる身体装着移動具乗り物を構想し、試作した。参考にしたのはダイソン社のブレイドレス扇風機（特開２００９−６２９８６）である。
【０００７】
発明者は、前方に２個のエンジンブロウを胸側腹側と上下に設けてみた。
２連噴射ブロア１が開閉右噴射口２０を有する右噴射パイプ２と開閉左噴射口３０を有する左噴射パイプ３とを介して後方噴射具４の右噴射部４１と左噴射部４２にそれぞれ連結させた
【０００８】
発明者は、２連噴射ブロア１の１方を手ふさぎ開閉右噴射口２０を有する右噴射パイプ２を介して後方噴射具４の右側の右噴射部４１に連結させ、２連噴射ブロア１の他方を手ふさぎ開閉左噴射口３０を有する左噴射パイプ３を介して後方噴射具４の左側の左噴射部４２に連結させた。
【０００９】
また、発明者は、上記２連噴射ブロア１を左胸側右胸側と対称に配設させ、一方を右噴射部４１にパイプ連結させ、他方を左噴射部４２にパイプ連結させてみた。
【００１０】
また、発明者は、上記２連噴射ブロア１を装着者の前部に２重に配設し、一方を右噴射部４１にパイプ連結させ、他方を左噴射部４２にパイプ連結させてみた。
【００１１】
また、発明者は、上記２連噴射ブロア１を装着者の前部と後部に配設し、一方を右噴射部４１にパイプ連結し、他方を左噴射部４２にパイプ連結するように形成してみた。
【００１２】
また、発明者は、前記開閉右噴射口２０と開閉左噴射口３０が手動スライド開閉弁構造としてみた。
【００１３】
更に、発明者は、前記２連噴射ブロア１を肩掛けダイレクトブロアで左右対称に配設し、一方を開閉右噴射口２０を有する連結パイプ２を介して右噴射部４１に連結し、他方を開閉左噴射口３０を有する連結パイプ３を介して左噴射部４２に連結させた。        
【発明の効果】
【００１４】
請求項１の２連ブロア噴射移動装置では、２連噴射ブロア１が開閉右噴射口２０を有する右噴射パイプ２と開閉左噴射口３０を有する左噴射パイプ３とを介して後方噴射具４の右噴射部４１と左噴射部４２にそれぞれ連結されてなるから、走行する速度調整と、左右の曲がり調整がうまく出来る。
【００１５】
請求項２の２連ブロア噴射移動装置では、２連噴射ブロア１の１方が手ふさぎ開閉右噴射口２０を有する右噴射パイプ２を介して後方噴射具４の右側の右噴射部４１に連結され、２連噴射ブロア１の他方が手ふさぎ開閉左噴射口３０を有する左噴射パイプ３を介して後方噴射具４の左側の左噴射部４２に連結されてなるから（図１）、手ふさぎ開閉の加減で走行速度調整と曲がり調整とが簡単に出来る。
【００１６】
請求項３の２連ブロア噴射移動装置では、上記２連噴射ブロア１が胸側腹側と上下に配設され、一方が右噴射部４１にパイプ連結され、他方が左噴射部４２にパイプ連結されている上記２連噴射ブロア１が上下に配設されているから、装着者がスタイル好く走ることが出来る。
【００１７】
請求項４の２連ブロア噴射移動装置では、上記２連噴射ブロア１が右胸側左胸側と対称に配設され、一方が右噴射部４１にパイプ連結され、他方が左噴射部４２にパイプ連結されていること左右に配設されているから、歩行運動の妨げにならない。
【００１８】
請求項５の２連ブロア噴射移動装置では、上記２連噴射ブロア１が胸側に２重に配設され、一方が右噴射部４１にパイプ連結され、他方が左噴射部４２にパイプ連結されているから、コンパクトに収まり、右にスムーズに曲がり、また、左にスムーズに曲がることができる。
【００１９】
請求項６の２連ブロア噴射移動装置では上記２連噴射ブロア１が装着者の前側と後側に配設され、一方が右噴射部４１にパイプ連結され、他方が左噴射部４２にパイプ連結されているから、天秤棒で荷物を担ぐようにバランスよく担ぐことができ、疲れにくい利点がある。
【００２０】
請求項７、８の ２連ブロア噴射移動装置では上記開閉右噴射口２０と開閉左噴射口３０がスライド開閉弁構造となされているから、どちらも操作が簡単で、間違いなく調整ができる。
【００２１】
請求項９の２連ブロア噴射移動装置では、前記２連噴射ブロア１が肩掛けダイレクトブロアで左右対称に配設され、一方が開閉右噴射口２０を有する連結パイプ２を介して右噴射部４１に連結され、他方が開閉左噴射口３０を有する連結パイプ３を介して左噴射部４２に連結されているから、ブロア効率がよく、高速で走行できる。
【発明を実施するための形態】
【００２２】
図１（ａ）（ｂ）に本発明２連ブロア噴射移動装置の第１実施例を説明する。
【実施例１】
【００２３】
１は２連エンジン噴射ブロアであり、２は右噴射パイプ、３は左噴射パイプであり、４は後方噴射具である。１０はブロア取着抱持板、２０は手ふさぎで開閉する右噴射口、３０は手ふさぎで開閉する左噴射口である。１００はフロントカバーである。
その２連エンジン噴射ブロア１の一方が、手ふさぎ開閉右噴射口２０を有する右噴射パイプ２を介して後方噴射具４の右側の右噴射部４１に連結され、２連噴射ブロア１の他方が手ふさぎ開閉左噴射口３０を有する左噴射パイプ３を介して後方噴射具４の左側の左噴射部４２に連結されている。
【００２４】
４０は背側噴射具取着板であり、後方噴射具４を装着者の身体背中に装着している。後方噴射具４は２分割されており、右噴射部４１と左噴射部４２とに分かれ、ダイソンの扇風機のように後方に圧縮空気を噴出するようになされている。（特開２００９−６２９８６参照）
上記構造の２連ブロア噴射移動装置をつけた装着者は、エンジンを轟かせながら圧縮空気を後方に噴射しながら前方への推進力を得、スケート靴を履いて氷上を走行する。
右手と左手を手ふさぎ開閉右噴射口２０と手ふさぎ開閉左噴射口３０に押し当てて直進し、開いた方へ曲がる。左右ともに開くと減速し、停止する。
【実施例２】
【００２５】
図２（ａ）（ｂ）に２連ブロア噴射移動装置の第２の実施例を示す。
１は左右対称に配置された２連エンジンブロアであり、市販のカーツエンジンブロアＢＺ４５０を２個設けている。  上記２連噴射ブロア１が左胸側と右胸側と対称に配設され抱持板１０に保持され、一方が後方噴射具４の右噴射部４１にパイプ連結され、他方が後方噴射具４の左噴射部４２にパイプ連結されている。１００はフロントカバー。
２は右連結パイプであり、開閉右噴射口２０を有し、３は左連結パイプであり、開閉左噴射口３０を有している。開閉右噴射口２０と開閉左噴射口３０が手動スライド開閉弁構造となされ、パイプ弁グリップを前にスライドさせると穴と仕切りで圧縮空気が逆流し、パイプ弁グリップを後ろにスライドさせると穴と仕切りで圧縮空気が順流するようになされている。
前記開閉右噴射口２０と開閉左噴射口３０が手動スライド開閉弁構造を有し、該手動スライド開閉弁構造は、グリップ３１と、これと一体のスライド筒に前孔３２と仕切り３３と後孔３４と孔塞ぎリング３５とからなっている。
【００２６】
後方噴射具４はダイソンのブレイドレス扇風機（特開２００９−６２９８６）と構造が良く似ているが、右噴射部４１と左噴射部４２との間に仕切り５を設けてあり、左右で噴射力を加減しうるようになされている。
また。装着者は足にアイススケート靴を履いて氷上を走行する。
【実施例３】
【００２７】
図３（ａ）（ｂ）７に本発明２連ブロア噴射移動装置の第３実施例を示す。
上記２連噴射ブロア１が前後２段に胸側に配設されてブロア取着板１０に保持され、一方が後方噴射具４の右噴射部４１にパイプ連結され、他方が後方噴射具４の左噴射部４２にパイプ連結されている。１００はフロントカバーである。
２は右連結パイプで開閉右噴射口２０を有し、３は左連結パイプで開閉左噴射口３０を有している。開閉右噴射口２０と開閉左噴射口３０とが手動スライド開閉弁構造となされ、パイプグリップを前方にスライドさせると圧縮空気が逆流し、後方にスライドさせると圧縮空気が順流して後方噴射具４に導かれるようになされている。
前記手動スライド開閉弁構造は開閉右噴射口２０と開閉左噴射口３０近辺に設けられ、グリップ３１と遠隔操作棒３６と三角スライダー３７とからなっている。
【００２８】
４は後方噴射具であり、ダイソンの扇風機と同様の構造をしており、ジェット噴流が周りから大量の空気を更に巻き込んで大きな推進力とするものである。（特開２００９−６２９８６参照）
装着者は、スケート靴を履いて、氷上を走行する。
両手で手動スライド開閉弁の三角スライダー３７をそれぞれ前後させて走行速度や右左折をコントロールする。
【実施例４】
【００２９】
図４（ａ）平面図（ｂ）背面図に本発明２連ブロア噴射移動装置の第４実施例を示す。
１は２連ブロア噴射装置で、マキタエンジンブロアＥＵＢ４７６０，同じものを腹抱きと背負い方式で前ブロア取着板１０と後方取着板４０で、身体に装着しうるようになされている。
２は右連結パイプで手ふさぎ開閉右噴射口２０を有し、３は左連結パイプで手ふさぎ開閉左噴射口３０を有している。
４の後方噴射具はダイソンの扇風機と似たリング構造であるが、中央に仕切り５があり、リング構造の右噴射口４１と左噴射口４２とにわかれている。装着者が両方の噴射口２０，３０を両手でふさぐと直進し、右手で右噴射口２０を開くと右折し、左手で左噴射口３０を開くと左折する。
本実施例では、装着者はローラースケートを履いて路上をスケート走行する。
【実施例５】
【００３０】
図５に本発明２連ブロア噴射移動装置の第５実施例を示す。
エンジン駆動の２連噴射ブロア１が肩掛けダイレクトブロアで左右対称に配設され、一方が開閉右噴射口２０を有する連結パイプ２を介して右噴射部４１に連結され、他方が開閉左噴射口３０を有する連結パイプ３を介して左噴射部４２に連結されている。１００はフロントカバーである。
【００３１】
１はマキタ４サイクルエンジンブロアＥＵＢ４２５０を２台使用し、肩ベルトと腰ベルトで身体装着し、ダイレクトブロアパイプ２を両手で抱えるように走行する。
２は右連結パイプ、３は左連結パイプであり、これに設けられたノブ３９を回して開閉右噴射口２０及び開閉左噴射口３０を開閉加減し、方向変換や、速度調整するようになされている。左右ダイレクトブロア２，３の後端は後方噴射具４に連結し、前記実施例と同じように中央に仕切り５を持ち右噴射部４１と左噴射部４２とに圧縮空気を送り込むようになされている。本実施例では、装着者はスキーを履いて、雪上を走行した。
【００３２】
すべての本発明実施例において、２連噴射ブロア１は、エンジン駆動でもモーター駆動でも好く、モーター駆動の場合はバッテリーによる電力供給が採用される。
【産業上の利用可能性】
【００３３】
本発明２連ブロア噴射移動装置はパラグライダーやハンググライダーを装着して人が空を飛ぶことも出来る。また、人工衛星内での無重力状態では、この発明による人の移動方法が理想的である。
【図面の簡単な説明】
【００３４】
【図１】（ａ）（ｂ）本発明第１実施例の側面図と背面図
【図２】（ａ）（ｂ）本発明第２実施例の側面図と背面図
【図３】（ａ）（ｂ）本発明第３実施例の側面図と背面図
【図４】（ａ）（ｂ）本発明第４実施例の平面図と背面図
【図５】本発明２連ブロア噴射移動装置第５実施例の側面図
【符号の説明】
【００３５】
１  ２連噴射ブロア
２  右連結パイプ            
３  左連結パイプ
４  後方噴射具
４１  右噴射部
４２  左噴射部
５   仕切り
１０  腹側取着板
２０  開閉右噴射口
３０  開閉左噴射口
４０  背側噴射具取着板
４１  右噴射部
４２  左噴射部
１００  フロントカバー
【図１】
2012140102.tif 000003
【図２】
2012140102.tif 000004
【図３】
2012140102.tif 000005
【図４】
2012140102.tif 000006
【図５】
2012140102.tif 000007